(57)【要約】      （修正有）【課題】ラップフイルムを、確実、かつ美麗にカット（切断）することができるサンドペーパーを取付けた筐体を提供する。【解決手段】両側面板１０４と前後面板１０１、１０２とで構成した方形状の筐体１に前蓋板１０５と前蓋板舌板１０６とを設け、この前面板の長手方向に取付けたサンドペーパー３は、前蓋板舌板の先端部位の下側裏面に位置し、筐体内のペーパーをカットする際に、この前蓋板舌板の先端部位の下側裏面に、当該サンドペーパーが当る構成とする。サンドペーパーを囲繞するように、前面板の長手方向に銅紙５を展着する構成とする。前面板に突部６を形成し、この前面板と前蓋板との間に、隙間Ｈを形成し、この前蓋板への指の掛かりができる構成とする。サンドペーパーのサンドの刃と、前蓋板、及び／又は、前蓋板舌板の裏面との圧接を介して、ペーパーをカットする構成とする。【選択図】図２
0003198887.tif 000002
【実用新案登録請求の範囲】
【請求項１】
方形状の筐体に設けた前蓋板と前蓋板舌板とで構成した筐体に取付け、取外しできるサンドペーパーにおいて、
このサンドペーパーは、前記前蓋板舌板の先端部位の下側で、かつ前記筐体の前面板の長手方向に取付け可能とする構成とした筐体に取付け、取外しできるサンドペーパー。
【請求項２】
前記サンドペーパーを囲繞するように、銅紙を展着する構成とした請求項１に記載の
筐体に取付け、取外しできるサンドペーパー。
【請求項３】
前記前面板に突部を形成し、この前面板と前記前蓋板との間に、隙間を形成し、この前蓋板への指の掛かりを可能とする構成とした請求項１に記載の筐体に取付け、取外しできるサンドペーパー。
【請求項４】
前記サンドペーパーのサンドの刃と、前記前蓋板、及び／又は、前記前蓋板舌板の裏面との圧接を介して、ペーパーをカット可能とする構成とした請求項１に記載の筐体に取付け、取外しできるサンドペーパー。
【考案の詳細な説明】
【技術分野】
【０００１】
本考案は、筐体（ケース）に、ロールペーパー、ラップフイルム、又はキッチンペーパー、或いはトイレットペーパー、ガムテープとか、その他のテープ類（総称して、ラップフイルムとする）を収容し、ラップフイルムを、確実、かつ美麗にカット（切断）する筐体に取付け、取外しできるサンドペーパーに関する。
【背景技術】
【０００２】
従来の刃は、筐体の前面板の下端に設けたノコギリ歯（刃）とか、前蓋板の裏面に設けたノコギリ歯を備える構造であって、この歯は、カッターであり、かつペーパー、ラップフイルム（ラップ）の切り口のガイドとなる。従って、切り口がギザギザになり易く、体裁が悪い。また、場合により、手、手先等の皮膚を怪我すること、又は取扱いに注意を要すること、等の状況があり得る。そして、一部に、紙製とか樹脂製のカッターが採用されているが、いずれにしても、歯の形態であり、前述の状況となり易いものである。
【０００３】
その改良として、歯の代替を考えた考案が提案されている。その一例を挙げる。先ず、実用新案登録第３０２０２９１号公報の「サンドペーパーで切断するロールホルダー」がある。この考案は、前面板の下端にサンドペーパーを塗布する構造である。従って、また、サンドペーパーは塗布方式で、取換不可であり、無駄となる虞がある。また、場合により、サンドペーパーのサンド（研削材）が破損したときの使用に困ること、及びその際に取換ができず不便である。さらに筐体を、恒久的に使用する方式、例えば、ラップフイルムの取換方式では、前記サンドが破損した際には困る。次に、特開平６−２３９３３８号公報の「砥石粒刃材付のラップフイルム収容紙箱」がある。この発明は前蓋板と前蓋板舌板との折目から、前蓋板舌板に向かってサンドペーパーを塗布し、使用時には、前蓋板の裏面に、前蓋板舌板を接着し、ラップフイルムを、サンドペーパーと前面板との間の挾持、及びサンド（砥石粒）とにより、カットする構造である。従って、前述の考案と同じような問題点を抱えている。
【０００４】
【特許文献１】実用新案登録第３０２０２９１号公報
【特許文献２】特開平６−２３９３３８号公報
【考案の概要】
【考案が解決しようとする課題】
【０００５】
先行文献（１）、（２）は、従来と、市販のカッター（歯）の改良として、有効と思われる。例えば、カッターの問題点解消に役立つと考えられる。
【０００６】
先ず、文献（１）、（２）は、サンドペーパーでのカットであり、手先等の皮膚を怪我する心配が無くなり、かつ取扱いが容易であること、等である。
【０００７】
しかしながら、文献（１）、（２）は、筐体の製作時に塗布する構造である。そのために、前述した如く、取替え（使用済みサンドペーパーの取外しと、新品のサンドペーパーの取付け）ができないことと、これに纏わる問題を抱えている。また、サンドペーパーの取付け箇所では、サンドペーパーのサンドの役割が十分とは考えられず、切断が困難視され、かつ確実な切断は望めないことと、切り口のギザギザが残り易く、体裁が良くない（切り口の美麗性が確保されない）こと、等が考えられる。
【課題を解決するための手段】
【０００８】
上記に鑑み、本考案では、ラップフイルム収容用の筐体と、この筐体に取付け、取外し可能に設けられるサンドペーパーと、このサンドペーパーに圧着される前蓋板とによるラップフイルムのカットであり、必要とする長さをカットでき、かつ切り口を美麗にカットできる、又は指等を怪我することなくカットできるサンドペーパーと、このサンドペーパーの取付け箇所を提案する。
【０００９】
また、本考案は、前面板に設けたサンドペーパーと、サンドペーパーに圧着される前蓋板、及び／又は、前蓋板舌板との構成において、前蓋板、及び／又は、前蓋板舌板を押圧し、サンドペーパーのサンドの刃（微粒子のサンドの刃）と、前蓋板、及び／又は、前蓋板舌板の裏面との間でカットしつつ、前蓋板舌板の先端部をガイドとしてカットすることで、前記目的を確実に達成できる。
【００１０】
以上の目的達成のために、請求項１〜請求項４に記載のサンドペーパーを提供する。
【考案の効果】
【００１１】
請求項１の考案は、方形状の筐体に設けた前蓋板と前蓋板舌板とで構成した筐体に取付け、取外しできるサンドペーパーにおいて、
サンドペーパーは、前蓋板舌板の先端部位の下側で、かつ筐体の前面板の長手方向に取付け可能とする筐体に取付け、取外しできるサンドペーパーであり、指による前蓋板の押圧と、前蓋板が圧着されるサンドペーパーとによるラップフイルムのカットであり、必要とする長さをカットでき、かつ切り口を美麗にカットできる、又は指等を怪我することなくカットできるサンドペーパーと、このサンドペーパーの取付け箇所を特定した構成を提案できる。また、本考案は、前面板に設けたサンドペーパーと、サンドペーパーに圧着される前蓋板、及び／又は、前蓋板舌板との構成において、前蓋板、及び／又は、前蓋板舌板を押圧し、サンドペーパーのサンドの刃（微粒子のサンドの刃）と、前蓋板、及び／又は、前蓋板舌板の裏面との間でカットしつつ、前蓋板舌板の先端部をガイドとしてカットすることで、前記目的を確実に達成できる。
【００１２】
請求項１の考案は、サンドペーパーを囲繞するように、銅紙を展着する筐体に取付け、取外しできるサンドペーパーであり、請求項１に記載の目的達成と、銅紙の殺菌性とを利用した考案である。
【００１３】
請求項３の考案は、前面板に突部を形成し、前面板と前蓋板との間に、隙間を形成し、前蓋板への指の掛かりを可能とする筐体に取付け、取外しできるサンドペーパーであり、請求項１に記載の目的達成と、前蓋板への指の掛かりを容易、かつ確実にした考案である。
【００１４】
請求項４の考案は、サンドペーパーのサンドの刃と、前蓋板、及び／又は、前蓋板舌板の裏面との圧接を介して、ペーパーをカット可能とする筐体に取付け、取外しできるサンドペーパーであり、請求項１に記載の目的達成と、サンドの刃と、前蓋板、及び／又は、前蓋板舌板との関係を特定した考案である。
【図面の簡単な説明】
【００１５】
【図１−１】三組セットのサンドペーパーの一例の斜視図
【図１−２】図１に示した一例の販売態様を示した縮尺斜視図
【図１−３】銅紙の一例を示した斜視図
【図２】ペーパーホルダの一例を示した斜視図
【図３】ペーパーホルダの他の一例を示した斜視図
【図４】ペーパーホルダにおいて、前蓋板舌板をガイドとして、ラップフイルムをカットする直前の状態を示した拡大姿図
【図５】図４において、ラップフイルムをカットする状態を示した姿図
【図６】図５の端面図
【図７】前蓋板を、前面板から容易に離脱する為に、指の掛かり穴を設ける構成としたペーパーホルダの他の一例を示した斜視図
【図８】ペーパーホルダを樹脂、金属等の恒久性の素材で形成したその他の一例を示した斜視図
【考案を実施するための形態】
【００１６】
以下、本考案の好ましい、各実施例を説明する。
【００１７】
Ａはペーパーホルダ（ラップフイルムホルダ）であり、その素材は、例えば、図２等に示した一般の紙製と、図８に示した恒久性のある材料とする。筐形（筐体１）が形成される。この筐体１は、図６に示すように、底板１００と、その両側を形成する後面板１０１、及び、これに対峙する前面板１０２と、天板１０３と、を折曲げ線で形成するとともに、長手方向Ｘを閉塞する両側面板１０４とでなる筐体本体１ａを形成し、かつこの一例では、天板１０３に折曲げ垂下した垂下板１０３ａの前面に前蓋板１０５と、この前蓋板１０５の先端に前蓋板舌板１０６とでなる筐体前蓋板舌板１ｂを形成した構造である。従って、この一例では、筐体本体１ａと、筐体前蓋板舌板１ｂとで筐体を構成する。尚、図８のように恒久性の素材で筐体を形成する場合には、天板の開閉を可能とするため、後面板１０１と天板１０３とを、蝶番等により枢動可能に連結することも考えられる。
【００１８】
但し、図示しないが、従来と同様に、筐体本体１ａより延設し、一枚構造を構成する前蓋板１０５、並びに前蓋板舌板１０６（筐体前蓋板舌板１ｂ）の構成も、本考案の一例である。
【００１９】
また、図７に示すように、前蓋板舌板１０６に切欠きを形成し、この切欠きに指を掛けて、前蓋板舌板１０６、及び／又は、前蓋板１０５の開きＹを容易とすることと、障害者や、指に障害がある人にも、容易な開きＹが図れること、等の実益が上げられる。尚、容易な開きＹをするための（指の掛かりを容易するための）他の方法として、図示しないが、前蓋板舌板１０６の下辺近傍の略中央部に、掛かり用孔や、外側に突出した掛かり用突出片を設ける。この孔、突出片は、指の掛かりを容易とすることを意図する。また、孔、突出片等の形状及び大きさ等は限定されない。
【００２０】
図中２は、筐体１の長手方向Ｘの両側面板１０４に内方に向かって突出した支持杆であり、ラップフイルムＡＡを筐体１内に空間を持って支持する。
【００２１】
図中３はサンドペーパーであり、図１−１と図１−２に示した、一例では、三組セットで、かつ袋詰め状態とする。サンドペーパー３のサンドの目の密度は、サンドの破壊程度とか、ラップフイルムＡＡの種類と、大きさ等と、指への衝撃（傷が付かないこと）等を基に決定する。そして、販売時は、図示の如く、図１−２に示したように、袋詰めとする。このサンドペーパー３は、前面板１０２の下側に取付け・取外し自在となっており、サンド３００が刃としての機能が無くなった際に、取り替える構造である。殊に、筐体１を恒久性とした構造とか、従来品に取付ける構造等においては有効である。サンドペーパー３は、図２等において示した如く、原則として、筐体１の長手方向Ｘの全体に設ける。この一例では、長中短の三種類の長さとしたが、一例であり、長さとか、幅（幅の種類は図示しない）の寸法は、限定されない。
【００２２】
また、図中５は銅紙であり、図１−３に示した、一例では、銅紙５は、図２の如く、サンドペーパー３を囲繞するように、前面板１０２に取付け・取外し自在に設ける。銅紙５による殺菌効果と、清潔感を確保する。長さ、幅等の寸法は限定されない。
【００２３】
図中６は突部であり、突部６は、前面板１０２と前蓋板１０５との間に隙間Ｈを設け得る（図２、図３参照）。従って、この隙間Ｈは、例えば、前蓋板１０５、又は、前蓋板舌板１０６に指の掛かりを容易にするために有効である。この前蓋板１０５、又は、前蓋板舌板１０６に指を掛けて、該前蓋板１０５、又は、該前蓋板舌板１０６の開きＹを容易とする。この一例では、植毛とする。障害者とか、手、及び／又は、指等に障害が有る人、或いは老人等に有益である。尚、突部６は取付け・取外し自在となっている。また、突部６はスポンジ、ばね等の緩衝効果があるものが望ましい。
【００２４】
次に本考案の使用の一例（ラップフイルムＡＡのカット）を説明すると、突部６により、前面板１０２より離間している前蓋板１０５、又は前蓋板舌板１０６に指を掛け（前面板１０２と前蓋板１０５との間に形成される隙間Ｈを利用することで、前蓋板１０５、又は前蓋板舌板１０６の何れかへの指の掛かりが容易となる）、ラップフイルムＡＡを必要な長さだけ引出す。続いて、ラップフイルムＡＡをカットするが、前蓋板１０５の親指とのマーク（表記）Ｚに則り、このマークＺを押して、前蓋板舌板１０６をサンドペーパー３に押し当てるとともに、力を入れた状態で、前蓋板舌板１０６の先端部をガイドとして、ラップフイルムＡＡを上方に引き上げることで、カットされるとともに、その切り口が美麗にカット（切断）される。ラップフイルムＡＡは、サンドペーパー３のサンド３００の刃（微粒子のサンド３００の刃部）と、この刃に向かって押圧される前蓋板１０５、及び／又は、前蓋板舌板１０６の裏面の平坦面との間でカットされる。従って、指に負担を与えることなく、確実かつスムースにカットできることと、例えば、障害者、老人等の非健常者でも、簡易に美麗にカットできる。
【００２５】
前述した各構造は、本考案の好ましい一例の説明である。従って、本考案は上述した各実施例に限定されるものではなく、考案の趣旨の範囲において構成の一部を変更する構造とか、同じ特徴と効果を達成できる構造、等は、本考案の範疇である。
【符号の説明】
【００２６】
１  筐体
１００  底板
１０１  後面板
１０２  前面板
１０３  天板
１０３ａ  垂下板
１０４  側面板
１０５  前蓋板
１０６  前蓋板舌板
１ａ  筐体本体
１ｂ  筐体前蓋板舌板
２  支持杆
３  サンドペーパー
３００  サンド（刃）
５  銅紙
６  突部
Ａ  ペーパーホルダ（ラップフイルムホルダ）
ＡＡ  ラップフイルム
Ｈ  隙間
Ｘ  長手方向
Ｙ  開き
Ｚ  マーク
【図１−１】
0003198887.tif 000003
【図１−２】
0003198887.tif 000004
【図１−３】
0003198887.tif 000005
【図２】
0003198887.tif 000006
【図３】
0003198887.tif 000007
【図４】
0003198887.tif 000008
【図５】
0003198887.tif 000009
【図６】
0003198887.tif 000010
【図７】
0003198887.tif 000011
【図８】
0003198887.tif 000012
【手続補正書】
【提出日】平成27年5月21日(2015.5.21)
【手続補正１】
【補正対象書類名】実用新案登録請求の範囲
【補正対象項目名】全文
【補正方法】変更
【補正の内容】
【実用新案登録請求の範囲】
【請求項１】
両側面板と前後面板とで構成した方形状の筐体に前蓋板と前蓋板舌板とを設け、この前面板の長手方向に取付けたサンドペーパーは、前記前蓋板舌板の先端部位の下側裏面に位置し、前記筐体内のペーパーをカットする際に、この前蓋板舌板の先端部位の下側裏面に、当該サンドペーパーが当る構成としたサンドペーパーを取付けた筐体。
【請求項２】
前記サンドペーパーを囲繞するように、前記前面板の長手方向に銅紙を展着する構成とした請求項１に記載のサンドペーパーを取付けた筐体。
【請求項３】
前記前面板に突部を形成し、この前面板と前記前蓋板との間に、隙間を形成し、この前蓋板への指の掛かりができる構成とした請求項１に記載のサンドペーパーを取付けた筐体。
【請求項４】
前記サンドペーパーのサンドの刃と、前記前蓋板、及び／又は、前記前蓋板舌板の裏面との圧接を介して、ペーパーをカットする構成とした請求項１に記載のサンドペーパーを取付けた筐体。
【手続補正３】
【補正対象書類名】明細書
【補正対象項目名】０００１
【補正方法】変更
【補正の内容】
【０００１】
本考案は、筐体（ケース）に、ロールペーパー、ラップフイルム、又はキッチンペーパー、或いはトイレットペーパー、ガムテープとか、その他のテープ類（総称して、ラップフイルムとする）を収容し、ラップフイルムを、確実、かつ美麗にカット（切断）するサンドペーパーを取付けた筐体に関する。
【手続補正４】
【補正対象書類名】明細書
【補正対象項目名】００１０
【補正方法】変更
【補正の内容】
【００１０】
以上の目的達成のために、請求項１〜請求項４に記載のサンドペーパーを取付けた筐体を提供する。
【手続補正５】
【補正対象書類名】明細書
【補正対象項目名】００１１
【補正方法】変更
【補正の内容】
【００１１】
請求項１の考案は、両側面板と前後面板とで構成した方形状の筐体に前蓋板と前蓋板舌板とを設け、前面板の長手方向に取付けたサンドペーパーは、前蓋板舌板の先端部位の下側裏面に位置し、筐体内のペーパーをカットする際に、前蓋板舌板の先端部位の下側裏面に、サンドペーパーが当る構成としたサンドペーパーを取付けた筐体であり、指による前蓋板の押圧と、前蓋板が圧着されるサンドペーパーとによるラップフイルムのカットであり、必要とする長さをカットでき、かつ切り口を美麗にカットできる、又は指等を怪我することなくカットできるサンドペーパーと、このサンドペーパーの取付け箇所を特定した構成を提案できる。また、請求項１は、前面板に設けたサンドペーパーと、サンドペーパーに圧着される前蓋板、及び／又は、前蓋板舌板との構成において、前蓋板、及び／又は、前蓋板舌板を押圧し、サンドペーパーのサンドの刃（微粒子のサンドの刃）と、前蓋板、及び／又は、前蓋板舌板の裏面との間でカットしつつ、前蓋板舌板の先端部をガイドとしてカットすることで、前記目的を確実に達成できる。
【手続補正６】
【補正対象書類名】明細書
【補正対象項目名】００１２
【補正方法】変更
【補正の内容】
【００１２】
請求項２の考案は、サンドペーパーを囲繞するように、前面板の長手方向に銅紙を展着する構成としたサンドペーパーを取付けた筐体であり、請求項１に記載の目的達成と、銅紙の殺菌性とを利用した考案である。
【手続補正７】
【補正対象書類名】明細書
【補正対象項目名】００１３
【補正方法】変更
【補正の内容】
【００１３】
請求項３の考案は、前面板に突部を形成し、前面板と前記前蓋板との間に、隙間を形成し、前蓋板への指の掛かりができる構成としたサンドペーパーを取付けた筐体であり、請求項１に記載の目的達成と、前蓋板への指の掛かりを容易、かつ確実にした考案である。
【手続補正８】
【補正対象書類名】明細書
【補正対象項目名】００１４
【補正方法】変更
【補正の内容】
【００１４】
請求項４の考案は、サンドペーパーのサンドの刃と、前蓋板、及び／又は、前蓋板舌板の裏面との圧接を介して、ペーパーをカット可能とする構成としたサンドペーパーを取付けた筐体であり、請求項１に記載の目的達成と、サンドの刃と、前蓋板、及び／又は、前蓋板舌板との関係を特定した考案である。